【手続補正書】
【提出日】平成29年9月19日(2017.9.19)
【手続補正１】
【補正対象書類名】特許請求の範囲
【補正対象項目名】全文
【補正方法】変更
【補正の内容】
【特許請求の範囲】
【請求項１】
トランスミッタであって、
少なくとも１つの第１のトーンを生成する第１のトーン生成器と、
少なくとも１つの第２のトーンを生成する第２のトーン生成器と、
複素信号の第１の成分と前記少なくとも１つの第１のトーンとに応答して第１の出力信号を生成する第１のシグマ−デルタ変調器と、
前記複素信号の第２の成分と前記少なくとも１つの第２のトーンとに応答して第２の出力信号を生成する第２のシグマ−デルタ変調器と、
前記第１及び第２の出力信号を変調する伝送変調器であって、前記第１の成分と前記少なくとも１つの第１のトーンとが、変調された第１の出力信号で表され、前記少なくとも１つの第１のトーンが、前記変調された第１の出力信号で表されるように前記第１の成分の帯域幅の外であり、前記第２の成分と前記少なくとも１つの第２のトーンとが、変調された第２の出力信号で表され、前記少なくとも１つの第２のトーンが、前記変調された第２の出力信号で表されるように前記第２の成分の帯域幅の外であり、前記伝送変調器が、前記第１及び第２の出力信号をそれらの第１及び第２の位相を表す第１及び第２の位相信号に変換するためのセパレータを含む、前記伝送変調器と、
前記変調された第１及び第２の出力信号を増幅する増幅器と、
前記増幅の後に前記増幅された信号における前記トーンを減衰させるために前記増幅器に結合されるフィルタと、
を含む、トランスミッタ。
【請求項２】
請求項１に記載のトランスミッタであって、
前記第１の出力信号を生成することが前記第１の成分のシグマ−デルタ変調を含み、前記第２の出力信号を生成することが前記第２の成分のシグマ−デルタ変調を含む、トランスミッタ。
【請求項３】
請求項１に記載のトランスミッタであって、
前記伝送変調器が、前記第１の位相信号を変調する第１の位相変調器と、前記第２の位相信号を変調する第２の位相変調器とを含む、トランスミッタ。
【請求項４】
請求項３に記載のトランスミッタであって、
前記増幅器が、前記変調された第１の位相信号を増幅する第１の増幅器と、前記変調された第２の位相信号を増幅する第２の増幅器とを含む、トランスミッタ。
【請求項５】
請求項１に記載のトランスミッタであって、
前記第１のシグマ−デルタ変調器が、第１の周波数で前記第１の成分を受信するためであり、前記伝送変調器が、前記第１の周波数より高い第２の周波数で前記第１の出力信号を変調するためである、トランスミッタ。
【請求項６】
請求項１に記載のトランスミッタであって、
前記少なくとも１つの第１のトーンが、前記第１の成分の帯域幅を下回る低トーンと、前記第１の成分の帯域幅を上回る高トーンとを含む、トランスミッタ。
【請求項７】
請求項６に記載のトランスミッタであって、
前記変調されたトーンが前記増幅器の周波数範囲内にある、トランスミッタ。
【請求項８】
請求項１に記載のトランスミッタであって、
前記トーンが前記増幅器の平均動作電力を増大させるためである、トランスミッタ。
【請求項９】
方法であって、
少なくとも１つの第１のトーンを生成することと、
少なくとも１つの第２のトーンを生成することと、
複素信号の第１の成分と前記少なくとも１つの第１のトーンとに応答して第１の出力信号を生成することと、
前記複素信号の第２の成分と前記少なくとも１つの第２のトーンとに応答して第２の出力信号を生成することと、
前記第１及び第２の出力信号を変調することであって、前記第１の成分と前記少なくとも１つの第１のトーンとが、前記変調された第１の出力信号で表され、前記少なくとも１つの第１のトーンが、前記変調された第１の出力信号で表されるように前記第１の成分の帯域幅外であり、前記第２の成分と前記少なくとも１つの第２のトーンとが、前記変調された第２の出力信号で表され、前記少なくとも１つの第２のトーンが、前記変調された第２の出力信号で表されるように前記第２の成分の帯域幅外であり、前記第１及び第２の出力信号を変調することが、それらをそれらの第１及び第２の位相を表す第１及び第２の位相信号に変換することを含む、前記変調することと、
前記変調された第１及び第２の出力信号を増幅することと、
前記増幅の後に前記増幅された信号における前記トーンを減衰させることと、
を含む、方法。
【請求項１０】
請求項９に記載の方法であって、
前記第１の出力信号を生成することが前記第１の成分のシグマ−デルタ変調を含み、前記第２の出力信号を生成することが前記第２の成分のシグマ−デルタ変調を含む、方法。
【請求項１１】
請求項９に記載の方法であって、
前記第１及び第２の出力信号を変調することが、前記第１の位相信号を第１の位相変調器で変調することと、前記第２の位相信号を第２の位相変調器で変調することとを含む、方法。
【請求項１２】
請求項１１に記載の方法であって、
前記変調された第１及び第２の出力信号を増幅することが、前記変調された第１の位相信号を第１の増幅器で増幅することと、前記変調された第２の位相信号を第２の増幅器で増幅することとを含む、方法。
【請求項１３】
請求項９に記載の方法であって、
前記第１の出力信号を生成することが第１の周波数で前記第１の成分を受信することを含み、前記第１の出力信号を変調することが前記第１の周波数より高い第２の周波数で前記第１の出力信号を変調することを含む、方法。
【請求項１４】
請求項９に記載の方法であって、
前記少なくとも１つの第１のトーンが、前記第１の成分の帯域幅を下回る低トーンと、前記第１の成分の帯域幅を上回る高トーンとを含む、方法。
【請求項１５】
請求項１４に記載の方法であって、
前記変調された第１及び第２の位相信号を増幅することが、前記変調された第１及び第２の位相信号を増幅器で増幅することを含み、前記変調されたトーンが前記増幅器の周波数範囲内にある、方法。
【請求項１６】
請求項９に記載の方法であって、
前記変調された第１及び第２の位相信号を増幅することが、前記変調された第１及び第２の位相信号を増幅器で増幅することを含み、前記トーンが前記増幅器の平均動作電力を増大させるためである、方法。
【請求項１７】
トランスミッタであって、
少なくとも１つの第１のトーンと少なくとも１つの第２のトーンとを生成するためのトーン生成器と、
複素信号の第１の成分と前記少なくとも１つの第１のトーンとに応答して第１の出力信号を生成するための第１のシグマ−デルタ変調器と、
前記複素信号の第２の成分と前記少なくとも１つの第２のトーンとに応答して第２の出力信号を生成するための第２のシグマ−デルタ変調器と、
前記第１及び第２の出力信号を変調するための位相変調器であって、前記第１の成分と前記少なくとも１つの第１のトーンとが、前記変調された第１の出力信号で表され、前記少なくとも１つの第１のトーンが、前記変調された第１の出力信号で表されるように前記第１の成分の帯域幅外であり、前記第２の成分と前記少なくとも１つの第２のトーンとが、前記変調された第２の出力信号で表され、前記少なくとも１つの第２のトーンが、前記変調された第２の出力信号で表されるように前記第２の成分の帯域幅の外であり、前記位相変調器が、前記第１及び第２の出力信号をそれらの第１及び第２の位相を表す第１及び第２の位相信号に変換するためセパレータを含む、前記位相変調器と、
前記変調された第１及び第２の出力信号を増幅するための増幅器と、
前記増幅の後、前記増幅された信号における前記トーンを減衰させるために前記増幅器に結合されるフィルタと、
を含む、トランスミッタ。
【請求項１８】
請求項１７に記載のトランスミッタであって、
前記位相変調器が、前記第１の位相信号を変調するための第１の位相変調器と、前記第２の位相信号を変調するための第２の位相変調器とを含む、トランスミッタ。
【請求項１９】
請求項１７に記載のトランスミッタであって、
前記第１及び第２のシグマ−デルタ変調器が、第１の周波数で前記第１及び第２の成分を受信するためであり、前記位相変調器が、前記第１の周波数より高い第２の周波数で前記第１及び第２の出力信号を変調するためである、トランスミッタ。
【請求項２０】
請求項１７に記載のトランスミッタであって、
前記少なくとも１つの第１のトーンが、前記第１の成分の前記帯域幅を下回る低トーンと、前記第１の成分の前記帯域幅を上回る高トーンとを含む、トランスミッタ。
【請求項２１】
請求項１７に記載のトランスミッタであって、
前記変調されたトーンが前記増幅器の周波数範囲内にある、トランスミッタ。
【請求項２２】
請求項１７に記載のトランスミッタであって、
前記トーンが前記増幅器の平均動作電力を増大させるためである、トランスミッタ。
【請求項２３】
請求項１７に記載のトランスミッタであって、
前記トーン生成器が、前記少なくとも１つの第１のトーンを生成するための第１のトーン生成器と、前記少なくとも１つの第２のトーンを生成するための第２のトーン生成器とを含む、トランスミッタ。
【請求項２４】
請求項１７に記載のトランスミッタであって、
前記増幅器が、前記変調された第１の出力信号を増幅するための第１の増幅器と、前記変調された第２の出力信号を増幅するための第２の増幅器とを含む、トランスミッタ。